(57)【要約】      （修正有）【課題】網戸の掃除にあたって、スポンジ状の掃除具や繊維ブラシタイプの掃除具で、掃除具の清掃に手間がかからない網戸掃除具を提供する。【解決手段】掃除具２の両端面部分にスポンジ状のローラー１を設け、網戸の網部分に押付ながら上下方向に動かすとスポンジ状のローラー１が回転し、スポンジ状のローラー１に連設されているギヤー１５と軟質樹脂からなるブラシ３に連設されているギヤー１６とで連動逆回転し、ブラシ３は回転方向が逆回転することで掃除具２の動かす方向と同方向にブラシ３が回転し、網戸の網目にブラシ３の先端が絡み、より効率よく網目に付着している埃や花粉をかき出すことが出来る。掃除具２は家庭にある掃除機のホースとつなぐことで埃や花粉を吸い込ますことが出来、また、掃除具２の先端部に受けタンクを挿入することでブラシ３でかき出した洗剤や水分を受けタンクに溜め、掃除後に汚水を処分することが出来る。【選択図】図３
2018027284.tif 000002
【特許請求の範囲】
【請求項１】
掃除具２の両端面部分にスポンジ状のローラー１を設け、スポンジ状のローラー１が回転することでスポンジ状のローラー１に連設されているギヤー１５と軟質樹脂からなるブラシ３に連設されているギヤー１６とで連動逆回転していることを特徴とする網戸掃除具。
【請求項２】
掃除具２は家庭にある掃除機のホースとつなぐことで埃や花粉を掃除機に吸い込ますことが出来ることを特徴とする請求項第１項の網戸掃除具。
【請求項３】
掃除具２の先端部に受けタンク７を挿入することで網戸に水つけた洗剤での掃除で軟質樹脂からなるブラシ３でかき出した洗剤や水分を受けタンク７に溜めることができることを特徴とする請求項第１項の網戸掃除具。
【発明の詳細な説明】
【技術分野】
【０００１】  本発明は、網戸の掃除金具に関するものである。
【背景技術】
【０００２】  従来技術での網戸の掃除具にはスポンジ状や繊維ブラシタイプがあり、スポンジ状の掃除具は網戸に擦りつけながら埃や花粉などをスポンジの表面に付着させて埃や花粉など取り除いている。【０００３】  また、繊維ブラシタイプ掃除具は網戸の網目に繊維ブラシが絡むことよって埃や花粉を繊維ブラシに付着させている。
一般家庭の網戸は多数の網戸があり、これらの掃除具を用いて掃除を行うには何回も掃除具に付いた埃や花粉を取り除き、さらに水洗いなどで清掃しなければならない。【０００４】  また、他の従来技術での掃除具は掃除機のホースにつなぎ、ホースの直径と同じ位のブラシを設け、掃除機のホースにつなぎ掃除機の吸引力によって掃除具の設けられたブラシが回転し、網戸の埃や花粉をブラシによってかき出し吸引される。【０００５】  前述のスポンジ状や繊維ブラシタイプの掃除具とは異なり、掃除具の清掃の手間が少なくなり良い点があるが、掃除される面積は回転ブラシの直径が５ｃｍ位のため、網戸は巾９０ｃｍ、高さは１８０ｃｍの面積があり、１枚の網戸を掃除するにはかなりの時間を浪費してしまう。
【発明の開示】
【発明が解決しようとする課題】
【０００６】  解決しようとする課題は網戸の掃除にあたって、スポンジ状の掃除具や繊維ブラシタイプの掃除具では掃除具の清掃に手間がかかる点と掃除機のホースと同径の回転ブラシの掃除具では掃除時間の手間がかかる点にある。
【課題を解決するための手段】
【０００７】  本発明は、上記課題の鑑みてなされたもので、掃除具２の両端面部分にスポンジ状のローラー１を設け、スポンジ状のローラー１が回転することでスポンジ状のローラー１に連設されているギヤー１５と軟質樹脂からなるブラシ３に連設されているギヤー１６を設ける。【０００８】  スポンジ状のローラー１を網戸の網部分に押付ながら上下方向に動かすとスポンジ状のローラー１が回転し、スポンジ状のローラー１に連設されているギヤー１５と軟質樹脂からなるブラシ３に連設されているギヤー１６とで連動逆回転する。【０００９】  スポンジ状のローラー１と軟質樹脂からなるブラシ３は回転方向が逆回転することで掃除具２の動かす方向と同方向に軟質樹脂からなるブラシ３が回転し、軟質樹脂からなるブラシ３の先端部が網戸の網目に絡み、網目に付着している埃や花粉をかき出すことが出来る。【００１０】  そして、掃除具２は家庭にある掃除機５のホースとつなぐことで埃や花粉を掃除機５に吸い込ますことが出来、さらに掃除の手間は省けることとなる。【００１１】  さらに、掃除具２の先端部に受けタンク７を挿入することで網戸に水つけた洗剤での掃除で軟質樹脂からなるブラシ３でかき出した洗剤や水分を受けタンク７に溜め、掃除後に汚水を処分することが出来る。
【発明の効果】
【００１２】  本発明によれば、掃除具２に係設されているスポンジ状のローラー１を網戸の網目に押付ながら動かすことによりスポンジ状のローラー１が回転し、スポンジ状のローラー１に連設されているギヤー１５と軟質樹脂からなるブラシ３に連設されているギヤー１６とで連動逆回転する。【００１３】  スポンジ状のローラー１と軟質樹脂からなるブラシ３は回転方向が逆回転することで掃除具２の動かす方向と同方向に軟質樹脂からなるブラシ３が回転し、軟質樹脂からなるブラシ３の先端が網戸の網目に絡み、網戸の網目に付着している埃や花粉を効率良く取り除くことが出来る。
そして、掃除具２は家庭にある掃除機５のホースとつなぐことで埃や花粉を掃除機５に吸い込ますことができ、さらに掃除の手間は省けることとなる。
また、受けタンク７を掃除具２の先端部に挿入することで網戸に水をつけた洗剤の掃除を行うことが出来る。【００１４】  軟質樹脂からなるブラシ３でかき出した洗剤や水分を受けタンク７に溜め、掃除後に汚水を処分することが出来る。
本発明の網戸掃除具は埃や花粉を家庭の掃除機５に吸引させる方法や洗剤を用いて清掃した場合、受けタンク７に水分溜めることなど安価で手間がかからず、確実に清掃できる網戸掃除具の提供が出来る。
【発明を実施するための最良の形態】
【００１５】  本発明の実施形態を説明する。
図３で本発明の網戸掃除具を１実施例で説明すれば、掃除具２の両端面部分にスポンジ状のローラー１を設け、スポンジ状のローラー１が回転することでスポンジ状のローラー１に連設されているギヤー１５と軟質樹脂からなるブラシ３に連設されているギヤー１６を設ける。【００１６】  スポンジ状のローラー１を網戸の網部分に押付ながら上下方向に動かすとスポンジ状のローラー１が回転し、スポンジ状のローラー１に連設されているギヤー１５と軟質樹脂からなるブラシ３に連設されているギヤー１６とで連動逆回転する。【００１７】  スポンジ状のローラー１と軟質樹脂からなるブラシ３は回転方向が逆回転することで掃除具２を下方向動かすと軟質樹脂からなるブラシ３は下方向に回転し、掃除具２の移動と軟質樹脂からなるブラシ３の回転が付加され、軟質樹脂からなるブラシ３の先端部が網戸の網目に絡み、網目に付着している埃や花粉をより効率よく取り除くことが出来る。【００１８】  また、スポンジ状のローラー１に連設されているギヤー１５と軟質樹脂からなるブラシ３に連設されているギヤー１６のギヤー比はスポンジ状のローラー１に連設されているギヤー１５を小さくし、軟質樹脂からなるブラシ３に連設されているギヤー１６を大きくすることでスポンジ状のローラー１が網戸の擦りつける摩擦力に対して軟質樹脂からなるブラシ３の回転力を大きくする作用をもたしてある。【００１９】  従って、スポンジ状のローラー１を網戸に強く押し付けずに軟質樹脂からなるブラシ３が回転するので網戸の網目の損傷を防ぐことが出来る。
また、他の実施例としてスポンジ状のローラー１を軟質なゴムローラーにし、軟質なゴムローラーの表面に突起を設け、網戸の網目との引っかかりを利用して回転する方法で、この場合は網戸の押し付けた時にゴムローラーの変形が少ないので軟質樹脂からなるブラシ３の直径はゴムローラーより大きく設定する。
また、軟質樹脂からなるブラシ３は静電気が帯電しにくい材質が良いが、静電気を帯電しにくい馬毛でも良い。【００２０】  図４は本発明の１実施例で掃除具２を家庭にある掃除機５のホースとつなぐことで埃や花粉を掃除機５に吸引することが出来る。
図５は本発明の１実施例で網戸に水を含む洗剤で掃除したとき余分な洗剤や水分を受けタンク７に溜め、掃除後に汚水を処分することが出来る。
【図面の簡単な説明】
【００２１】
【図１】  図１は本発明の網戸掃除具の１実施例で掃除具２にスポンジ状のローラー１が係設されている上面図である。
【図２】  図２は本発明の網戸掃除具の１実施例で掃除具２にスポンジ状のローラー１と軟質樹脂からなるブラシ３が係設されている部分断面図である。
【図３】  図３は本発明の網戸掃除具の１実施例でスポンジ状のローラー１と軟質樹脂からなるブラシ３はスポンジ状のローラー１連設されているギヤー１５と軟質樹脂からなるブラシ３に連設されているギヤー１６は噛合い回転による動作説明を示す一部断面図である。
【符号の説明】
【００２２】１    スポンジ状のローラー
２    掃除具
３    樹脂製からなるブラシ
７    水受けタンク
【図１】
2018027284.tif 000003
【図２】
2018027284.tif 000004
【図３】
2018027284.tif 000005
【図４】
2018027284.tif 000006
【図５】
2018027284.tif 000007
【手続補正書】
【提出日】平成28年12月14日(2016.12.14)
【手続補正１】
【補正対象書類名】明細書
【補正対象項目名】００２１
【補正方法】変更
【補正の内容】
【００２１】
【図１】  図１は本発明の網戸掃除具の１実施例の上面図で掃除具２にスポンジ状のローラー１が係設されている図である。
【図２】  図２は本発明の網戸掃除具の１実施例で掃除具２にスポンジ状からなるローラー１と軟質樹脂からなるブラシ３が係設されている部分断面図である。
【図３】  図３は本発明の網戸掃除具の１実施例の一部断面図でスポンジ状からなるローラー１と軟質樹脂からなるブラシ３はスポンジ状からなるローラー１連設されているギヤー１５と軟質樹脂からなるブラシに連設されているギヤー１６は噛合い回転による動作説明示す図である。
【図４】  図４は本発明の１実施例で家庭にある掃除機５の吸引ホースを掃除具２に接続ができることの説明図である。
【図５】  図５は本発明の１実施例で掃除具２の先端部分に水受けタンク７を装着した図である。